(57)【要約】【課題】本発明は、全体的外観がスリムであり、半自動で駆動され、携帯端末機の載置のための開閉動作が迅速でかつ容易であり、長時間視聴に便利なようにユーザーが楽に、且つ正しい姿勢で携帯端末機のスクリーンを見ることができるスリム型クイッククレードルを提供する。【解決手段】本発明による携帯端末機のスリム型クイッククレードルは、携帯端末機の本体を傾斜するように支持する支持バーと、支持バーを本体の底面に結合する結合フレームと、支持バーを前記結合フレームにヒンジ軸を中心として回転するように係合し、支持バーの閉力、開力、又は停止力を半自動で提供するヒンジ装置とを備える。【選択図】  図５
2013021696.tif 000002
【特許請求の範囲】
【請求項１】
携帯端末機のスリム型クイッククレードルであって、
携帯端末機の本体を傾斜するように支持する支持バーと、
前記支持バーを前記本体の底面に結合する結合フレームと、
前記支持バーを前記結合フレームにヒンジ軸を中心として回転するように係合し、前記支持バーの閉力、開力、又は停止力を半自動で提供するヒンジ装置と、
を備えることを特徴とするスリム型クイッククレードル。
【請求項２】
前記支持バーは、前記ヒンジ装置を収容する一対の支持壁を一体型として含むことを特徴とする請求項１に記載のスリム型クイッククレードル。
【請求項３】
前記ヒンジ装置は、駆動カム及び従動カムを含み、
前記駆動カムは、一つの支持壁に固定され、前記支持バーと一緒に回転することを特徴とする請求項２に記載のスリム型クイッククレードル。
【請求項４】
前記一つの支持壁は、前記ヒンジ軸の方向にくぼんだ固定溝を含み、前記駆動カムは、前記固定溝に噛み合って前記ヒンジ軸の方向に延びる固定突起を含むことを特徴とする請求項３に記載のスリム型クイッククレードル。
【請求項５】
前記結合フレームは、前記支持壁と前記ヒンジ軸を介して結合される一対の支持アームと、前記支持アームの間に設けた分離壁とを含み、前記分離壁にはガイド開口が具備されて前記従動カムの線形移動をガイドすることを特徴とする請求項３に記載のスリム型クイッククレードル。
【請求項６】
前記支持バーの回転は第１の角度を超える場合、前記ヒンジ装置は、支持バーを第２の角度まで半自動で回転させることを特徴とする請求項１に記載のスリム型クイッククレードル。
【請求項７】
前記支持バーは、第１の角度まで手動で回転することを特徴とする請求項６に記載のスリム型クイッククレードル。
【請求項８】
携帯端末機のスリム型クイッククレードルであって、
一対の支持壁を一体型に有し、前記一つの支持壁にヒンジ軸の方向にくぼんだ固定溝が設置され、携帯端末機の本体を傾斜して支持する支持バーと、
前記一対の支持壁と結合する一対の支持アームを含み、前記支持アームの間に分離壁が具備され、前記支持バーを前記本体の底面に結合する結合フレームと、
前記支持バーを前記結合フレームに前記ヒンジ軸を中心として係合するために、前記固定溝と噛み合う固定突起が具備され、前記一つの支持壁に固定されて前記支持バーと一緒に回転する駆動カムと、前記駆動カムと密着してカム運動をする従動カムとを有するヒンジ装置と、
からなることを特徴とするスリム型クイッククレードル。
【請求項９】
前記分離壁は、前記従動カムの線形移動をガイドするガイド開口を含むことを特徴とする請求項８に記載のスリム型クイッククレードル。
【請求項１０】
前記固定突起は、前記駆動カムの他面から前記ヒンジ軸の方向に延びることを特徴とする請求項８に記載のスリム型クイッククレードル。
【発明の詳細な説明】
【技術分野】
【０００１】
本発明は携帯端末機に関するもので、特に携帯端末機の傾斜載置を容易にするためのスリム型クイッククレードルに関する。
【背景技術】
【０００２】
一般的に携帯端末機は、携帯電話（ｃｅｌｌｕｌａｒ  ｐｈｏｎｅ）、スマートフォン、スマートパッド、及び電子ブック、などと呼ばれる。
その動作において、携帯端末機はスクリーンにデータをディスプレイし、ユーザーは、ＤＭＢ（Ｄｉｇｉｔａｌ  Ｍｕｌｔｉｍｅｄｉａ  Ｂｒｏａｄｃａｓｔｉｎｇ）モード、ＴＶモード、又はＶＯＤ（Ｖｉｄｅｏ  Ｏｎ  Ｄｅｍａｎｄ）モードのような、様々なモードで見ることができる。
【０００３】
しかしながら、ユーザーがプログラムの実行中にはこの端末機を手に持っているので、この姿勢は、再生中に手と腕に疲労を起こすことがある。
あるいは、ユーザーは、携帯クレードル（ｐｏｒｔａｂｌｅ  ｃｒａｄｌｅ）上に携帯端末機を傾斜するように載せた状態でスクリーンを見ることができる。しかしながら、これは、常に携帯クレードルを携帯しなければならないという不便さがあり、また、この携帯クレードルによって携帯端末機の全体的なサイズが大きくなることで、携帯端末機の携帯性が落ちるという短所を有する。
【先行技術文献】
【特許文献】
【０００４】
【特許文献１】韓国登録特許公報１０−０８２９０３９Ｂ１
【発明の概要】
【発明が解決しようとする課題】
【０００５】
本発明は、上記した従来技術の問題点を解決するためになされたものであって、本発明の目的は、全体的外観がスリムであり、半自動で駆動され、それによって携帯端末機の載置のための開閉動作が迅速でかつ容易であり、ＤＭＢモード、ＶＯＤモード、及びＴＶモードでの長時間視聴に便利なようにユーザーが楽に、且つ正しい姿勢で携帯端末機のスクリーンを見ることができるスリム型クイッククレードルを提供することにある。
【課題を解決するための手段】
【０００６】
上記のような目的を達成するための本発明の一態様によれば、携帯端末機のスリム型クイッククレードルが提供される。このクレードルは、携帯端末機の本体を傾斜するように支持する支持バーと、支持バーを本体の底面に結合する結合フレームと、支持バーを前記結合フレームにヒンジ軸を中心として回転するように係合し、支持バーの閉力、開力、又は停止力を半自動で提供するヒンジ装置とを備える。
【０００７】
本発明の他の態様による携帯端末機のスリム型クイッククレードルは、一対の支持壁を一体型に有し、前記一つの支持壁にヒンジ軸の方向にくぼんだ固定溝（ｇｒｏｏｖｅ）が設置され、携帯端末機の本体を傾斜して支持する支持バーと、一対の支持壁と結合する一対の支持アームを含み、支持アームの間に分離壁が具備され、支持バーを本体の底面に結合する結合フレームと、支持バーを前記結合フレームにヒンジ軸を中心として係合するために、固定溝と噛み合う固定突起が具備され、一つの支持壁に固定されて前記支持バーと一緒に回転する駆動カムと、駆動カムと密着されるカム運動をする従動カムとを有するヒンジ装置とからなる。
【０００８】
本発明による実施形態の上記特徴及び利点を明らかにするため、添付の図面を参照して本発明の詳細を以下に説明する。
【発明の効果】
【０００９】
本発明によるクレードルは、全体的外観がスリムであり、開閉動作が迅速で、半自動で操作できるので、ユーザーにとっては、使用上一層便利になる。即ち、本発明によるクレードルを使うとユーザーは、ＤＭＢモード、ＶＯＤモード、及びＴＶモードのいずれのモードかでスクリーンにディスプレイされた画面を、携帯端末がテーブル上に載置された状態で楽に見ることができる。
特に、本発明によるクレードルは、スリム型に形成されているので、携帯端末機本体の底面に一体型に配置でき、また、半自動で開閉できるので、操作の便利性が向上する。従って、本発明は、ユーザーが長時間正しい姿勢で携帯端末機のスクリーンを見ることができるという効果を有する。
【図面の簡単な説明】
【００１０】
【図１】本発明による回転状態のクレードルを有する携帯端末機を示す一側面図である。
【図２】本発明によるクレードルによりサポートされる携帯端末機を示す斜視図である。
【図３】本発明によるクレードルを有する携帯端末機を示す正面図である。
【図４】本発明によるクレードルを示す正面図である。
【図５】本発明により、閉状態で弾性体が除去されたクレードルを示す斜視図である。
【図６】全く開状態の本発明によるクレードルを示す斜視図である。
【図７】本発明によるクレードルの駆動カムが一つの支持壁に固定されることを示す斜視図である。
【発明を実施するための形態】
【００１１】
以下、本発明の望ましい実施形態を添付の図面を参照して詳細に説明する。
図面において、同一の構成要素に対しては同一の参照番号を付して説明する。
【００１２】
図１乃至図３は、本発明によるスリム型クイッククレードル（以下、“クレードル”と称する）２０を有する携帯端末機を示す。
図１を参照すると、クレードル２０は、後述するヒンジ装置（図４及び図５の２３）を含み、該ヒンジ装置は、第１の角度Θ１以内では携帯端末機の本体１０の底面１０１に対してクレードル２０を閉める力を提供し、第１の角度Θ１と第２の角度Θ２との間の角度ではクレードル２０を開ける力を提供し、第３の角度Θ３＝Θ１＋Θ２ではクレードル２０を停止する力を提供するように構成される。
その結果、ユーザーは上記の設計方式に従って便利且つ迅速にクレードル２０を使用できる。
【００１３】
クレードル２０は、後述するヒンジ装置により、底面１０１の長手方向に沿って、本体１０の底面１０１の所定位置に装着される。
上記の構成を有するクレードル２０の支持バー２１が第３の角度Θ３まで回転する場合、支持バー２１は停止状態を維持する。この停止力は、後述するヒンジ装置により提供される。図２は、クレードル２０に傾斜して載置される携帯端末機の本体１０を示す斜視図であり、本体１０の上面にはスクリーン１１０が装着されている。
【００１４】
クレードル２０は、本体１０の底面１０１の所定位置に形成された凹部（図３の１０２）から支持バー２１が手動で第１の角度Θ１まで回転するように構成される。支持バー２１が第１の角度Θ１を超えると、第２の角度Θ２まで自動で開けられる。即ち、クレードル２０の支持バー２１は、０度から第１の回転角度Θ１までは手動で、その後第１の回転角度Θ１から第２の回転角度Θ２まではヒンジ装置２０により自動で開かれる。このようにして、クレードル２０は半自動で開閉される。
【００１５】
以下、図４乃至図７を参照して、クレードル２０の構成について詳細に説明する。図４乃至図６を参照すると、クレードル２０は、スリム型の迅速に開閉可能なクレードルであって、支持バー２１、結合フレーム２２、及びヒンジ装置２３を含む。支持バー２１は、回転して携帯端末機の本体１０（図１及び図２を参照）を傾斜して支持する機能を担当する。結合フレーム２２は、クレードル２０、具体的には支持バー２１とヒンジ装置２３を本体底面１０１に固定させる機能を担当する。ヒンジ装置２３は、支持バー２１と結合フレーム２２を接続しつつ、支持バー２１に閉める力、開ける力、又は停止する力を提供する機能を担当する。
【００１６】
支持バー２１は、領域にカムユニット２３１，２３２と弾性体２３３をヒンジ軸Ａに沿って収容するように２個の支持壁２１０，２１２を含む。それぞれの支持壁２１０，２１２は対向するように配置され、それらの間にはカムユニット２３１，２３２と弾性体２３３がヒンジ軸２４に沿って挟み込まれる。それぞれの支持壁２１０，２１２にはヒンジ軸２４が挿入される開口が備えられる。一対の支持壁２１０，２１２の間の空間にはカムユニット２３１，２３２と弾性体２３３が挟み込まれた状態で、クレードル２０が携帯端末機本体の底面に装着される場合、このクレードル２０は、携帯端末機本体１０の内部に受容される。支持バー２１は、本体の底面１０１側に対向する内面と、携帯端末機本体の底面１０１から露出する外面とを有する。
【００１７】
結合フレーム２２は、本体の底面１０１の所定領域に図示されない締め具により固定される。結合フレーム２２が本体底面の所定位置に固定され、支持バー２１は、ヒンジ装置２３を介して結合フレーム２２に係合され、携帯端末機本体の底面に一体型に結合された状態で回転運動を遂行する。結合フレーム２２は、２個の結合アーム（支持アーム）２２０，２２２と、分離壁２２４とを含む。結合アーム２２０，２２２と分離壁２２４は、それぞれの支持壁２１０，２１２と、カムユニット２３１，２３２及び弾性体２３３を取り囲む。
【００１８】
結合アーム２２０，２２２は、結合フレーム２２のボディーの両角から直線的に各々延び、それぞれの支持壁２１０，２１２と対向し、ヒンジ軸２４を貫通させる。結合アーム２２０，２２２は、ヒンジ軸２４が貫通するためのそれぞれの開口を有する。分離壁２２４は、結合アーム２２０，２２２が延びた方向に対して垂直な方向、即ちヒンジ軸方向Ａの方向に延長される。ガイド孔２２５は、後述する従動カム２３２がヒンジ軸方向Ａの方向に従って線形移動できるようにするために分離壁２２４に形成される。即ちガイド孔２２５は、ヒンジ軸方向Ａの方向と平行に線形に延長される。従動カム２３２のガイド突起（図５の２３２ｃ）がガイド孔２２５に挿入されるので、従動カム２３２は、後述する駆動カム２３１の回転に従ってヒンジ軸方向Ａの方向に線形移動することができる。即ち、ガイド孔２２５は、従動カム２３２の回転を防止し、ヒンジ軸Ａの方向に往復移動するようにガイドする。
【００１９】
ヒンジ装置２３は、ヒンジ軸２４と、カムユニット２３１，２３２と、弾性体２３３とを含む。ヒンジ軸２４は、ヒンジ装置のヒンジ軸方向Ａを提供し、カムユニット２３１，２３２と弾性体２３３を貫通するように配置される。カムユニット２３１，２３２は、駆動カム２３１と従動カム２３２を含む。駆動カム２３１は、支持バー２１と一緒に回転するカムを意味し、従動カム２３２は、駆動カム２３１の回転によってカム運動で線形にヒンジ軸方向Ａに沿って移動するカムを意味する。
【００２０】
駆動カム２３１は、一側面にカム手段が具備され、他側面に固定手段が具備される。具体的には、駆動カム２３１の一側面にはカム溝（ｇｒｏｏｖｅ）２３１ｂとカム突起２３１ａが具備されてカム運動を可能にする。一方、駆動カムの他側面には固定突起２３１ｃが具備されて固定されており、固定突起２３１Ｃは、支持バー２１の一つの支持壁２１０に形成された固定溝２１０ａに噛み合って結合され、支持バー２１と一緒に回転する。即ち、駆動カム２３１は、固定突起２３１ｃと固定溝２１０ａとが固結されている結果、支持バー２１と一緒に回転する。
【００２１】
従動カム２３２は、カム溝２３２ｂとカム突起２３２ａを含み、外周面にガイド突起２３２ｃが備えられ、駆動カム２３１の回転に伴いガイド孔２２５に従って往復に移動する。
【００２２】
弾性体２３３は、駆動カム２３１と従動カム２３２を密着させる力を提供して、駆動カム２３１と従動カム２３２のカム運動を提供する。弾性体２３３は、圧縮コイルスプリングが望ましい。駆動カム２３１の回転に従って弾性体２３３は、ヒンジ軸方向Ａに沿って圧縮又は引張運動を遂行する。
【００２３】
上記した構成によって、カムユニット２３１，２３２と、弾性体２３３は、結合フレーム２２内に全くに収容された状態で配置され、結合フレーム２２は、一部が支持バー２１に収容された状態で平行に配置され、スリム化に有利であり、特にヒンジ装置２３により半自動で支持バー２１を迅速に開け、閉じることができる。
【００２４】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【００２５】
１０    （携帯端末機の）本体
２０    クレードル（スリム型クイッククレードル）
２１    支持バー
２２    結合フレーム
２３    ヒンジ装置
２４    ヒンジ軸
１０１    （本体の）底面
１０２    凹部（ｒｅｃｅｓｓ）
１１０    スクリーン
２１０、２１２    支持壁
２１０ａ    固定溝（ｌｏｃｋｉｎｇ  ｇｒｏｏｖｅ）
２２０、２２２    結合アーム（支持アーム）
２２４    分離壁
２２５    ガイド孔
２３１    カムユニット、駆動カム
２３１ａ、２３２ａ    カム突起
２３１ｂ、２３２ｂ    カム溝（ｃａｍ  ｇｒｏｏｖｅ）
２３１ｃ    固定突起
２３２    カムユニット、従動カム
２３２ｃ    ガイド突起
２３３    弾性体
【図１】
2013021696.tif 000003
【図２】
2013021696.tif 000004
【図３】
2013021696.tif 000005
【図４】
2013021696.tif 000006
【図５】
2013021696.tif 000007
【図６】
2013021696.tif 000008
【図７】
2013021696.tif 000009